(57)【要約】      （修正有）【課題】簡単な構造でコンパクトで持ち運びに便利であるとともに、かつらの形態を崩さずに安定してかつらを載置でき且つ衛生面でも優れたかつらスタンドを提供する。【解決手段】組立て時に角錐台状になる反発性を有する樹脂板からなるシート１００であって、シート１００に角錐台の角数に対応して形成される複数の折り目部１１１〜１１６と、折り目部により区画され角錐台の側面を形成する複数の片部１２１〜１２７と、シート両端部に位置する片部に設けられ組立て時に当該片部同士が重なるよう保持する第一の保持機構部と、片部の長手方向の略中央部位に形成される折り曲げ機構部１５１〜１５６とを設け、複数の片部はその幅Ｗが一方から他方に向かうに従って順に広くまたは狭くなるよう形成する構成とした。【選択図】図１
0003187224.tif 000002
【実用新案登録請求の範囲】
【請求項１】
組立て時に角錐台状になる反発性を有する樹脂板からなるまたはこれと同等の素材からなるシートであって、
このシートに当該角錐台の角数に対応して形成される複数の折り目部と、
この折り目部により区画され上記角錐台の側面を形成する複数の片部と、
上記シートの両端部に位置する片部に設けられ上記組立て時に当該片部同士が重なるよう保持する第一の保持機構部と、
上記片部の長手方向の略中央部位に形成される折り曲げ機構部とを設け、
上記複数の片部は、その幅が一方から他方に向かうに従って順に広くまたは狭くなるよう形成したことを特徴とするかつらスタンド。
【請求項２】
上記第一の保持機構部が設けられた片部とは異なる他の片部には第一の穴部が形成され、上記シートの一端部に位置する片部から他端部に位置する片部に向かって順に上記片部を上記折り目部に沿って折り曲げて折り畳み状にすると、当該第一の穴部は上記第一の保持機構部を内側に位置させるよう構成し、
上記第一の保持機構部は、上記折り畳み時に上記第一の穴部の内側に位置して上記片部を折り畳み状態に保持可能としたことを特徴とする請求項１記載のかつらスタンド。
【請求項３】
上記片部を上記折り目部に沿って順に折り曲げて折り畳み状にし、上記折り曲げ機構部を介して当該片部を折り曲げたときに当該折り曲げ状態を保持する第二の保持機構部を上記片部に設けたことを特徴とする請求項１または請求項２記載のかつらスタンド。
【請求項４】
上記第二の保持機構部が設けられた片部とは異なる他の片部には第二の穴部が形成され、当該第二の穴部は、上記片部を上記折り目部に沿って順に折り曲げて折り畳み状にし上記折り曲げ機構部を介して当該片部を折り曲げたときにこの折り曲げ状態を保持する上記第二の保持機構部を内側に位置させるよう構成したことを特徴とする請求項３記載のかつらスタンド。
【請求項５】
上記第二の保持機構部は、上記片部の長手方向に於いて上記第一の保持機構部より外側に位置するよう設けられ、
上記第二の穴部は、上記片部の長手方向に於いて上記第一の穴部より外側に位置するよう形成されたことを特徴とする請求項４記載のかつらスタンド。
【請求項６】
上記折り曲げ機構部は、その幅が一方から他方に向かうに従って順に広くまたは狭くなるよう形成したことを特徴とする請求項１乃至請求項５に記載のかつらスタンド。
【請求項７】
上記折り曲げ機構部には、上記折り曲げ時に発生する反発力を軽減するための軽減機構部が設けられていることを特徴とする請求項１乃至請求項６に記載のかつらスタンド。
【請求項８】
上記片部の上辺部及び底辺部は円弧上に形成したことを特徴とする請求項１乃至請求項７に記載のかつらスタンド。
【請求項９】
組立て時に六角錐台状になる１枚の反発性を有する樹脂板からなるシートであって、
このシートに形成される複数の折り目部と、
この折り目部により区画され上記六角錐台の側面を形成するとともに当該側面の上辺部及び底辺部が円弧上に形成される複数の片部と、
上記シートの両端部に位置する片部に設けられ上記組立て時に当該片部同士が重なるよう保持する第一のホック機構部と、
この第一のホック機構部が設けられた片部とは異なる他の片部に形成され、上記シートの一端部に位置する片部から他端部に位置する片部に向かって順に上記片部を上記折り目部に沿って折り曲げて折り畳み状にすると、上記第一のホック機構部を内側に位置させる第一のホック穴部と、
上記片部の長手方向の略中央部位に形成され２本の平行する折り曲げ部とからなる折り曲げ機構部と、
上記第一のホック機構部及び上記第一のホック穴部より外側に位置し、上記片部を上記折り目部に沿って順に折り曲げて折り畳み状にし、上記折り曲げ機構部を介して当該片部を折り曲げたときに当該折り曲げ状態を保持する第二のホック機構部と、
この第二のホック機構部が設けられた片部とは異なる他の片部に形成され、上記片部を上記折り目部に沿って順に折り曲げて折り畳み状にし上記折り曲げ機構部を介して当該片部を折り曲げたときに、この折り曲げ状態を保持する上記第二のホック機構部を内側に位置させる第二のホック穴部と、
上記片部に形成され上記シートの反発力を軽減するための軽減機構部とを設け、
上記複数の片部及び折り曲げ機構部は、その幅が一方から他方に向かうに従って順に広くまたは狭くなるよう形成したことを特徴とするかつらスタンド。
【請求項１０】
上記第二のホック機構部が設けられた片部は、上記各片部を上記折り目部に沿って順に折り曲げて折り畳み状にし上記折り曲げ機構部を介して当該片部を折り曲げたときに、内側から二番目に位置するよう構成したことを特徴とする請求項９記載のかつらスタンド。
【請求項１１】
組立て時に角錐台状になる反発性を有する樹脂板からなるまたはこれと同等の素材からなるシートであって、
このシートに当該角錐台の角数に対応して形成される複数の折り目部と、
この折り目部により区画され上記角錐台の側面を形成する複数の片部と、
上記シートの両端部に位置する片部に設けられ上記組立て時に当該片部同士が重なるよう保持する第一の保持機構部とを設けたことを特徴とするかつらスタンド。
【請求項１２】
上記複数の片部は、その幅が略等間隔となるよう形成したことを特徴とする請求項１１記載のかつらスタンド。
【請求項１３】
上記複数の片部は、その幅が一方から他方に向かうに従って順に広くまたは狭くなるよう形成したことを特徴とする請求項１１記載のかつらスタンド。
【考案の詳細な説明】
【技術分野】
【０００１】
本考案は、一枚の板状のシートを折り曲げることにより組立てるかつらスタンド、特に、容易に組立て及び分解が可能で持ち運びに便利なかつらスタンドに関する。
【背景技術】
【０００２】
従来、かつらを載置する器具としては、例えば胸像や首像のマネキンがあり、その頭部にかつらを載置するものであった。このものは、特定の場所での展示を主目的とするものであり、形状及び重量も大きく、持ち運びの面では問題があった。また、一般家庭で用いるには不向きであった。
【０００３】
特許第５０１４５３８号公報（下記特許文献１）には、所定の柱状の形状に組立て可能な本体部と、この本体部の所定の部位に係止されるフランジ部とから構成される紙或いは合成樹脂により成形されたかつら載置用スタンドが開示されている。また、組立て時に少なくとも截頭６角錐になるように少なくとも６本の折り目が形成されており、この折り目により区画される各片のいずれかの片に、組立て時に截頭６角錐に係止し保持させるための保持機構を有するように構成された合成樹脂により成形されたかつら載置用スタンドが開示されている。
【０００４】
特許文献１に開示されたかつら載置用スタンドは、マネキン型のものに比べれば、かつらを展示する際のスペースをとらず搬送・携帯に便利である。
【０００５】
しかし、特許文献１に開示されたかつら載置用スタンドは、反発性を有する素材を用いるため、各折り目に沿って各片を順に折り曲げていくと、反発力を内包したまま脹らみを有する折り畳み状態になるものである。この折り畳み時のかつら載置用スタンドの大きさは、片の長手方向の長さ及び短手方向の長さ並びに重なり合った片の厚みとなる。かつらを載置した状態を考慮すると、この長手方向の長さは少なくとも２０ｃｍ強は要し、個人の携帯用バッグやカバンの中に収容すると大きなスペースを要してしまい、持ち運びの面で問題を生じるものであった。
【先行技術文献】
【特許文献】
【０００６】
【特許文献１】特許第５０１４５３８号公報
【考案の開示】
【考案が解決しようとする課題】
【０００７】
上述したように従来のかつらを載置する器具は、例えばマネキン式の場合は、形状及び重量も大きく持ち運びの面で問題があり、高価でもあり、一般家庭で用いるには不向きであった。
また、反発性を有する素材を用いた所定の形状に組立て及び折り畳み可能なかつら載置用スタンドの場合は、その反発力により小型化が難しく持ち運びの面で問題を生じるものであった。
【０００８】
本考案は、上記事情を考慮してなされたもので、上述の不具合を解消し、簡単な構造でコンパクトで持ち運びに便利なかつらスタンドを提供することを目的とする。
また、本考案は、かつらの形態を崩さずに安定してかつらを載置できるとともに衛生面でも優れたかつらスタンドを提供することを目的とする。
【課題を解決するための手段】
【０００９】
本考案は、上記目的を達成するために以下の通りの構成とすることを特徴とする。
【００１０】
（１）組立て時に角錐台状になる反発性を有する樹脂板からなるまたはこれと同等の素材からなるシートからなるかつらスタンドであって、このシートに当該角錐台の角数に対応して形成される複数の折り目部と、この折り目部により区画され上記角錐台の側面を形成する複数の片部と、上記シートの両端部に位置する片部に設けられ上記組立て時に当該片部同士が重なるよう保持する第一の保持機構部と、上記片部の長手方向の略中央部位に形成される折り曲げ機構部とを設け、上記複数の片部はその幅が一方から他方に向かうに従って順に広くまたは狭くなるよう形成する構成とした。
【００１１】
（２）上記（１）の構成にあって、上記第一の保持機構部が設けられた片部とは異なる他の片部には第一の穴部が形成され、上記シートの一端部に位置する片部から他端部に位置する片部に向かって順に上記片部を上記折り目部に沿って順に折り曲げて折り畳み状にすると、当該第一の穴部は上記第一の保持機構部を内側に位置させるよう構成した。
【００１２】
（３）上記（２）の構成にあって、上記第一の保持機構部は、上記折り畳み時に上記第一の穴部の内側に位置して上記片部を折り畳み状態に保持可能とするよう構成した。
【００１３】
（４）上記（１）、（２）または（３）の構成にあって、上記片部を上記折り目部に沿って順に折り曲げて折り畳み状にし、上記折り曲げ機構部を介して当該片部を折り曲げたときに当該折り曲げ状態を保持する第二の保持機構部を上記片部に設ける構成とした。
【００１４】
（５）上記（４）の構成にあって、上記第二の保持機構部が設けられた片部とは異なる他の片部には第二の穴部が形成され、当該第二の穴部は上記片部を上記折り目部に沿って順に折り曲げて折り畳み状にし上記折り曲げ機構部を介して当該片部を折り曲げたときに折り曲げ状態を保持する上記第二の保持機構部を内側に位置させるよう構成した。
【００１５】
（６）上記（４）または（５）の構成にあって、上記第二の保持機構部は、上記片部の長手方向に於いて上記第一の保持機構部より外側に位置するよう構成した。
【００１６】
（７）上記（５）または（６）の構成にあって、上記第二の穴部は、上記片部の長手方向に於いて上記第一の穴部より外側に位置するよう形成される構成とした。
【００１７】
（８）上記（１）乃至（７）の構成にあって、上記折り曲げ機構部は、その幅が一方から他方に向かうに従って順に広くまたは狭くなるよう形成した構成とした。
【００１８】
（９）上記（１）乃至（８）の構成にあって、上記折り曲げ機構部には、上記折り曲げ時に発生する反発力を軽減するための軽減機構部が設けられている構成とした。
【００１９】
（１０）上記（１）乃至（９）の構成にあって、上記片部の上辺部及び底辺部は円弧上に形成されるよう構成とした。
【００２０】
（１１）上記（１）乃至（３）の構成にあって、上記第一の保持機構部は、ホックボタンよりなる構成とした。
【００２１】
（１２）上記（４）の構成にあって、上記第二の保持機構部は、ホックボタンよりなる構成とした。
【００２２】
（１３）組立て時に六角錐台状になる１枚の反発性を有する樹脂板からなるシートからなるかつらスタンドであって、このシートに形成される複数の折り目部と、この折り目部により区画され上記六角錐台の側面を形成するとともに当該側面の上辺部及び底辺部が円弧上に形成される複数の片部と、上記シートの両端部に位置する片部に設けられ上記組立て時に当該片部同士が重なるよう保持する第一のホック機構部と、この第一のホック機構部が設けられた片部とは異なる他の片部に形成され上記シートの一端部に位置する片部から他端部に位置する片部に向かって順に上記片部を上記折り目部に沿って折り曲げて折り畳み状にすると上記第一のホック機構部を内側に位置させる第一のホック穴部と、上記片部の長手方向の略中央部位に形成され２本の平行する折り曲げ部とからなる折り曲げ機構部と、上記第一のホック機構部及び上記第一のホック穴部より外側に位置し上記片部を上記折り目部に沿って順に折り曲げて折り畳み状にし上記折り曲げ機構部を介して当該片部を折り曲げたときに当該折り曲げ状態を保持する第二のホック機構部と、この第二のホック機構部が設けられた片部とは異なる他の片部に形成され上記片部を上記折り目部に沿って順に折り曲げて折り畳み状にし上記折り曲げ機構部を介して当該片部を折り曲げたときにこの折り曲げ状態を保持する上記第二のホック機構部を内側に位置させる第二のホック穴部と、上記片部に形成され上記シートの反発力を軽減するための軽減機構部とを設け、上記複数の片部及び折り曲げ機構部は、その幅が一方から他方に向かうに従って順に広くまたは狭くなるよう形成する構成とした。
【００２３】
（１４）上記（１３）の構成にあって、上記第二のホック機構部が設けられた片部は、上記各片部を上記折り目部に沿って順に折り曲げて折り畳み状にし上記折り曲げ機構部を介して当該片部を折り曲げたときに、内側から二番目に位置するよう構成した。
【００２４】
（１５）組立て時に角錐台状になる反発性を有する樹脂板からなるまたはこれと同等の素材からなるシートであって、このシートに当該角錐台の角数に対応して形成される複数の折り目部と、この折り目部により区画され上記角錐台の側面を形成する複数の片部と、上記シートの両端部に位置する片部に設けられ上記組立て時に当該片部同士が重なるよう保持する第一の保持機構部とを具備する構成とした。
【００２５】
（１６）上記（１５）の構成にあって、上記複数の片部は、その幅が略等間隔となるよう形成する構成とした。
【００２６】
（１６）上記（１５）の構成にあって、上記複数の片部は、その幅が一方から他方に向かうに従って順に広くまたは狭くなるよう形成する構成とした。
【００２７】
上記構成によれば、簡単な構造で組立て及び折り畳みが容易でコンパクト且つ持ち運びに便利なかつらスタンドを提供することができる。しかも組立て時、角錐台状となるため、かつらの形態を崩さずに安定してかつらを載置できるとともに衛生面でも優れる。
また、樹脂板のシートを用いているので、耐久性にも優れる。
【００２８】
さらに、第一の保持機構部及び第二の保持機構部の構造がシンプルであり、取扱い性や耐久性に優れるものである。
【考案の効果】
【００２９】
本考案によれば、簡単な構造で組立て及び折り畳みが容易でコンパクト且つ携帯性及び耐久性に優れるかつらスタンドを提供できるという効果を奏する。
また、本考案によれば、かつらの形態を崩さずに安定してかつらを載置できるとともに、衛生面でも優れるかつらスタンドを提供できるという実用的効果を奏する。
【図面の簡単な説明】
【００３０】
【図１】本考案の一実施形態に係わるかつらスタンドの平面図である。
【図２】同実施形態に係わり、片部及び折り曲げ機構部の幅Ｗ，Ｈの状態が分かるように示した平面図である。
【図３】同実施形態に係わり、かつらスタンドを組立てた状態を示す図である。
【図４】同実施形態に係わり、かつらスタンドを折り畳んだ状態を示す図である。
【図５】同実施形態に係わり、かつらスタンドを折り畳んだ後に折り曲げた状態を示す図である。
【図６】本考案の他の実施形態に係わるかつらスタンドの平面図である。
【考案を実施するための形態】
【００３１】
以下本考案の一実施形態につき、図を参照して説明する。
【００３２】
本実施形態に係わるかつらスタンド１００は、１枚の樹脂製シート、例えば厚さ０．５ｍｍ〜０．５５ｍｍ程度の反発性を有し折り曲げると強度が増す性質を有するポリプロピレン（ＰＰ）製の透明のシートを折り曲げることにより組立てられるものである。即ち、図１に示すように、かつらスタンド１００を形成する透明のＰＰ製シートは平面形状が全体として略扇状をしており、折り曲げて組立てたときに六角錐台状になるように、プレスにより６本の折り目が折り目部１１１，１１２，１１３，１１４，１１５，１１６として形成されている。この折り目部１１１，１１２，１１３，１１４，１１５，１１６は上辺部側の折り目部１１１ａ，１１２ａ，１１３ａ，１１４ａ，１１５ａ，１１６ａと底辺部側の折り目部１１１ｂ，１１２ｂ，１１３ｂ，１１４ｂ，１１５ｂ，１１６ｂとからなり、上辺部側及び底辺部側の折り目部は同一直線上に位置するものである。この折り目部１１１，１１２，１１３，１１４，１１５，１１６により各片、即ち７つの片部１２１，１２２，１２３，１２４，１２５，１２６，１２７が区画される。シートの他端部側１００ｂに位置する片部１２７以外の各片部１２１，１２２，１２３，１２４，１２５，１２６のその幅Ｗ１０，Ｗ２０，Ｗ３０，Ｗ４０，Ｗ５０，Ｗ６０（図２参照）は、シートの一端部側１００ａに位置する片部１２１から片部１２６に向かうに従って大きくなるよう形成されている。即ち、各片部の幅Ｗは、Ｗ１０＜Ｗ２０＜Ｗ３０＜Ｗ４０＜Ｗ５０＜Ｗ６０の関係にある。これにより、片部１２１から順に片部１２６に向かって各折り目部１１１，１１２，１１３，１１４，１１５，１１６に沿って折り曲げていくと、隣接する片部がその前の片部の幅を吸収して包むように折り畳まれることになる。
また、各片部１２１，１２２，１２３，１２４，１２５，１２６，１２７は、上辺部１２１ａ，１２２ａ，１２３ａ，１２４ａ，１２５ａ，１２６ａ，１２８ａ及び底辺部１２１ｂ，１２２ｂ，１２３ｂ，１２４ｂ，１２５ｂ，１２６ｂ，１２９ｂが所定の曲率にて緩いカーブを描くよう形成されている。
なお、片部１２７は、他の片部１２１，１２２，１２３，１２４，１２５，１２６と異なり、組立て時に上辺部側に位置しその下方部が内側に湾曲する湾曲部１２８ｃを有する上辺部側片部１２８及び組立て時に底辺部側に位置しその上方部が内側に湾曲する湾曲部１２９ｃを有する底辺部側片部１２９とからなる。而して片部１２７は、その中央部分１２７ｃに向かうに従って内側に大きく抉られるよう湾曲状に形成されているので、組立て時にＰＰ材質に起因する反発性による膨らむ力を軽減するよう機能するものである。
また、片部１２３，１２５は、後述する折り曲げ機構部１５３，１５５にて上下に分割されているが、上下合わせて一つの片部として構成するものと見做す。
【００３３】
シートの両端部側１００ａ，１００ｂに位置する片部１２１，１２７には、組立て時に各片部１２１，１２２，１２３，１２４，１２５，１２６，１２７を所定角度に折り曲げて片部１２１と片部１２７が重なるようにして六角錐台状を保持し、また片部１２１から順に片部１２７に向かって各折り目部１１１，１１２，１１３，１１４，１１５，１１６に沿って折り曲げたときに当該折り曲げ状態を保持するための第一の保持機構部１３０，１３０が設けられている。この第一の保持機構部１３０，１３０は、片部１２１，１２７に設けられた例えば樹脂製のホックボタン１３１，１３２，１３３，１３４からなるものである。
即ち、片部１２１の上辺部１２１ａ側及び底辺部１２１ｂ側には夫々円形のスタンド型のホックボタン１３１，１３２が設けられ、当該ホックボタン１３１，１３２の対応する位置にて、片部１２７の上辺部側片部１２８の上辺部１２８ａ側及び底辺部側片部１２９の底辺部１２９ｂ側には円形のソケット型のホックボタン１３３，１３４が夫々設けられている。而して各片部１２１，１２２，１２３，１２４，１２５，１２６，１２７を所定角度に折り曲げて片部１２１と片部１２７を重なるようにして六角錐台状に組立てた際、ホックボタン１３１とホックボタン１３３を留め合わせ、またホックボタン１３２とホックボタン１３４を留め合わせることにより、六角錐台状が保持されることになる。
【００３４】
シートの一端部１００ａ側から数えて３枚目及び５枚目の片部１２３，１２５には、ホックボタン１３１，１３２及びホックボタン１３３，１３４の外周（円周）より大きい円周の丸穴部（第一の丸穴部）１４１，１４２，１４３，１４４が夫々設けられている。即ち、片部１２３の上辺部１２３ａ側には丸穴部１４１が、片部１２３の底辺部１２３ｂ側には丸穴部１４２が、片部１２５の上辺部１２５ａ側には丸穴部１４３が、片部１２５の底辺部１２５ｂ側には丸穴部１４４が設けられている。而して片部１２１から順に片部１２７に向かって各折り目部１１１，１１２，１１３，１１４，１１５，１１６に沿って折り曲げていくと、隣接する片部がその前の片部の幅Ｗを吸収して折り畳められ、この折り畳みに従ってホックボタン１３１は片部１２３，１２５の丸穴部１４１，１４３の内側に位置する状態となり、またホックボタン１３２は片部１２３，１２５の丸穴部１４２，１４４の内側に位置する状態となる。そして、折り畳みが最終の片部１２７に到達したとき、穴部１４１，１４３内側に位置するホックボタン１３１を片部１２７のホックボタン１３３に留め合わせ、穴部１４２，１４４の内側に位置するホックボタン１３２を片部１２７のホックボタン１３４に留め合わせることになる。これにより、折り曲げ状態が保持される。
【００３５】
片部１２１，１２２，１２３，１２４，１２５，１２６の長手方向の略中央部位には折り曲げ機構部１５１，１５２，１５３，１５４，１５５，１５６が設けられている。折り曲げ機構部１５１，１５２，１５３，１５４，１５５，１５６は、各片部１２１，１２２，１２３，１２４，１２５，１２６，１２７を各折り目部１１１，１１２，１１３，１１４，１１５，１１６に沿って順に折り曲げて折り畳み状にした後、その中央部位にて二つ折りにするためのものである。
【００３６】
片部１２１，１２２，１２４，１２６の折り曲げ機構部１５１，１５２，１５４，１５６は、夫々短手方向に平行する２本の折り目部１５１ａ，１５１ｂ，１５２ａ，１５２ｂ，１５４ａ，１５４ｂ，１５６ａ，１５６ｂを有し、各折り曲げ機構部に於ける折り目部同士の幅Ｈは、片部１２１から片部１２６に向かうに従って大きくなるよう形成されている。即ち、各折り目部同士の幅Ｈは、Ｈ１０＜Ｈ２０＜Ｈ４０＜Ｈ６０の関係にある。
また、片部１２１，１２２，１２４，１２６の折り曲げ機構部１５１，１５２，１５４，１５６は、各折り目部１５１ａ，１５１ｂ，１５２ａ，１５２ｂ，１５４ａ，１５４ｂ，１５６ａ，１５６ｂの両端部に湾曲状の開口部１５１ｃ，１５１ｄ，１５２ｃ，１５２ｄ，１５４ｃ，１５４ｄ，１５６ｃ，１５６ｄを形成し、樹脂シートに起因する反発力を軽減するための軽減機構として機能するものである。即ち、折り目部１５１ａの左側には左部開口部１５１ｃが形成され、折り目部１５１ｂの右側には右部開口部１５１ｄが形成されている。同様に、折り目部１５２ａの左側には左部開口部１５２ｃが形成され、折り目部１５２ｂの右側には右部開口部１５２ｄが形成されている。折り目部１５４ａの左側には左部開口部１５４ｃが形成され、折り目部１５４ｂの右側には右部開口部１５４ｄが形成されている。折り目部１５６ａの左側には左部開口部１５６ｃが形成され、折り目部１５６ｂの右側には右部開口部１５６ｄが形成されている。
【００３７】
片部１２３の折り曲げ機構部１５３には、片部１２３の一端部側に位置する折り曲げ部１１２から他端部側に位置する折り曲げ部１１３にかけて上部開口部１５３ｃ及び下部開口部１５３ｄが形成されている。即ち、片部１２３の上辺部１２３ａ側に上部開口部１５３ｃが形成され、片部１２３の底辺部１２３ｂ側に下部開口部１５３ｄが形成されている。
同様に、片部１２５の折り曲げ機構部１５５には、片部１２５の一端部側に位置する折り曲げ部１１４から他端部側に位置する折り曲げ部１１５にかけて上部開口部１５５ｃ及び下部開口部１５５ｄが形成されている。即ち、片部１２５の上辺部１２５ａ側に上部開口部１５５ｃが形成され、片部１２５の底辺部１２５ｂ側に下部開口部１５５ｄが形成されている。
これら開口部１５３ｃ，１５３ｄ，１５５ｃ，１５５ｄは、前述同様樹脂シートに起因する反発力を軽減するための軽減機構として機能するものである。
【００３８】
ここで、右部開口部１５１ｄと左部開口部１５２ｃは、折り目部１１１に関し略対称形で、夫々の両端部が接続するよう形成されている。また、右部開口部１５２ｄは、その一端部が上部開口部１５３ｃの一端部と接続し、その他端部が下部開口部１５３ｄの一端部と接続するよう形成されている。左部開口部１５４ｃは、その一端部が上部開口部１５３ｃの他端部と接続し、その他端部が下部開口部１５３ｄの他端部と接続するよう形成されている。右部開口部１５４ｄは、その一端部が上部開口部１５５ｃの一端部と接続し、その他端部が下部開口部１５５ｄの一端部と接続するよう形成されている。左部開口部１５６ｃは、その一端部が上部開口部１５５ｃの他端部と接続し、その他端部が下部開口部１５５ｄの他端部と接続するよう形成されている。そして、右部開口部１５６ｄは、その一端部が上辺部側片部１２８の湾曲部１２８ｃの一端部と接続するよう形成されおり、その他端部が底辺部側片部１２９の湾曲部１２９ｃの一端部と接続するよう形成されている。
【００３９】
而して各片部１２１，１２２，１２３，１２４，１２５，１２６，１２７を各折り目部１１１，１１２，１１３，１１４，１１５，１１６に沿って順に折り曲げて折り畳み状にした後即ちあたかも包むように折り畳んだ後、その中央部位即ち折り目部１５１ａ，１５１ｂ，１５２ａ，１５２ｂ，１５４ａ，１５４ｂ，１５６ａ，１５６ｂに沿って折り曲げ可能となるよう即ち二つ折り可能となるよう、折り曲げ機構部１５１，１５２，１５３，１５４，１５５，１５６は構成されている。
【００４０】
また、シートの一端部１００ａ側から５枚目の片部１２５には、例えばホックボタン１６１，１６２からなる第二の保持機構部１６０が設けられている。この第二の保持機構部１６０は、各折り目部１１１，１１２，１１３，１１４，１１５，１１６を介して折り畳まれた状態にある片部１２１，１２２，１２３，１２４，１２５，１２６，１２７を折り曲げ機構部１５１，１５２，１５３，１５４，１５５，１５６を介して折り曲げたときに、当該折り曲げ状態を保持するためのものである。即ち、片部１２５の上辺部１２５ａ側にスタンド型ホックボタン１６１が丸穴部１４３の外側に位置するよう設けられており、片部１２５の底辺部１２５ｂ側にソケット型ホックボタン１６２が丸穴部１４４の外側に位置するよう設けられている。而して片部１２１，１２２，１２３，１２４，１２５，１２６，１２７を折り曲げた際にホックボタン同士１６１，１６２を留め合わせることにより折り曲げ状態が保持されるよう構成されている。
【００４１】
なお、シートの一端部１００ａ側から数えて１枚目、３枚目及び７枚目の片部１２１，１２３，１２７には、ホックボタン１６１，１６２の外周（円周）より大きい円周の丸穴部（第二の丸穴部）１７１，１７２，１７３，１７４，１７５，１７６が夫々設けられている。そして、片部１２１から順に片部１２７に向かって各折り目部１１１，１１２，１１３，１１４，１１５，１１６に沿って折り曲げていくと、この折り畳みに従ってホックボタン１６１は片部１２１，１２３，１２７の丸穴部１７１，１７３，１７５の内側に位置する状態となり、またホックボタン１６２は片部１２１，１２３，１２７の丸穴部１７２，１７４，１７６の内側に位置する状態となる。以って前述の通り、片部１２１，１２２，１２３，１２４，１２５，１２６，１２７を折り曲げた際にホックボタン同士１６１，１６２を留め合わせることにより折り曲げ状態が保持される。
【００４２】
上記構成につき、その作用を以下に述べる。
【００４３】
かつらスタンド１００の組立ては、先ず、片部１２１から順に片部１２７に向かって各折り目部１１１，１１２，１１３，１１４，１１５，１１６に沿って所定角度に折り曲げて、片部１２１と片部１２７が重なるようにして六角錐台状にする。この後、ホックボタン１３１とホックボタン１３３を留め合わせるとともに、ホックボタン１３２とホックボタン１３４を留め合わせることにより、六角錐台状が保持され、かつらスタンド１００の組立てが完成する。
この完成したかつらスタンド１００は、底辺部１２１ｂ，１２２ｂ，１２３ｂ，１２４ｂ，１２５ｂ，１２６ｂ，１２９ｂ側を下にし、上辺部１２１ａ，１２２ａ，１２３ａ，１２４ａ，１２５ａ，１２６ａ，１２８ａ側を上にして使用する。即ち、かつら（図示せず）を上辺部１２１ａ，１２２ａ，１２３ａ，１２４ａ，１２５ａ，１２６ａ，１２８ａ側に載置すればよい。ここで、かつらスタンド１００を構成する上辺部１２１ａ，１２２ａ，１２３ａ，１２４ａ，１２５ａ，１２６ａ，１２８ａは、所定の曲率にて緩いカーブを描くよう形成されているので、かつらを傷付けることなく且つかつらの形態を崩すことなく安定して載置できるものである。また、かつらとの間で空隙が形成され、通気性がよくなるものである。加えて、底辺部１２１ｂ，１２２ｂ，１２３ｂ，１２４ｂ，１２５ｂ，１２６ｂ，１２９ｂは、所定の曲率にて緩いカーブを描くよう形成されているので、また丸穴部１４１，１４２，１４３，１４４，１７１，１７２，１７３，１７４，１７５，１７６により通気性の更なる向上を図れるものである。これにより、かつらに付着した汗や湿気を自然乾燥させることができ、以って悪臭発生の防止を図れる。
【００４４】
組立てられたかつらスタンド１００を折り畳む場合は、留め合わせたホックボタン１３１とホックボタン１３３並びにホックボタン１３２とホックボタン１３４を外し、片部１２１から順に片部１２７に向かって各折り目部１１１，１１２，１１３，１１４，１１５，１１６に沿って折り曲げていく。すると、隣接する片部がその前の片部の幅Ｗを吸収して包むように折り畳められていく。この折り畳みに従ってホックボタン１３１は片部１２３，１２５の丸穴部１４１，１４３の内側に位置する状態となり、ホックボタン１３２は片部１２３，１２５の丸穴部１４２，１４４の内側に位置する状態となる。また、ホックボタン１６１は丸穴部１７３の内側に位置する状態となり、ホックボタン１６２は丸穴部１７３の内側に位置する状態となる。そして、折り畳みが最終の片部１２７に到達したとき、丸穴部１４１，１４３の内側に位置するホックボタン１３１を片部１２７のホックボタン１３３に留め合わせ、丸穴部１４２，１４４の内側に位置するホックボタン１３２を片部１２７のホックボタン１３４に留め合わせて折り畳み状態を保持する。而して、ホックボタン１６１は丸穴部１７１，１７３，１７５の内側に位置する状態となり、ホックボタン１６２は丸穴部１７２，１７４，１７６の内側に位置する状態となる。
この後、片部１２１，１２２，１２３，１２４，１２５，１２６，１２７を折り曲げ機構部１５１，１５２，１５３，１５４，１５５，１５６を介して二つ折り状に折り曲げた際、ホックボタン同士１６１，１６２を留め合わせることにより折り曲げ状態が保持される。
【００４５】
上記組立て時、分解時、折り畳み及び折り曲げ時に生ずる反発力は、開口部１５１ｃ，１５１ｄ，１５２ｃ，１５２ｄ，１５３ｃ，１５３ｄ，１５４ｃ，１５４ｄ，１５５ｃ，１５５ｄ，１５６ｃ，１５６ｄにより軽減されるので、従来に比べて膨らみを抑えられるものである。
【００４６】
上記実施形態によれば、簡単な構造で組立て及び折り畳みが容易でコンパクト且つ携帯性及び耐久性に優れるかつらスタンドを提供できるものである。また、かつらの形態を崩さずに安定してかつらを載置できるとともに、通気性にも優れ、衛生面での向上を図れるものである。
さらに、反発力の軽減機構により折り畳みや折り曲げを容易にするとともに、７つの片部の内４つの片部１２１，１２２，１２４，１２６には大きな開口部は形成していないので、適度な強度を保つことを可能としている。
また、ホックボタン１６１，１６２をホックボタン１３１，１３２，１３３，１３４より外側に位置するよう片部１２５に設けているので、ホックボタン１６１，１６２の脱着作業が容易に行えるものである。しかも、ホックボタン１６１，１６２はかつらスタンドの折り畳み後の折り曲げ時に一番内側に位置する片部１２８，１２９ではなく、内側から二番目に位置することになる片部１２５に設けてあるので、脱着作業時、片部１２８，１２９に設ける場合よりも強度面、耐久性面及び作業面で優れるものである。加えて、折り畳み後ホックボタン１６１，１６２の背面部側（ホック留め側の反対側）は丸穴部１７１，１７３，１７２，１７４の内側に位置して片部１２１，１２３によりその厚みが吸収されるので、ホックボタン１６１，１６２の損傷防止を図れるとともに美観を呈するものでもある。
【００４７】
なお、本考案は上記実施形態に限定されることなく、例えばシートの厚さは０．５ｍｍ〜０．５５ｍｍ程度に限定されるものではない。また、シートは樹脂製でなくとも同等の機能を有する素材であれば何でもよい。
上記実施形態では、片部及び折り曲げ機構部は、その幅が一方から他方に向かうに従って順に広くなるよう（Ｗ１０＜Ｗ２０＜Ｗ３０＜Ｗ４０＜Ｗ５０＜Ｗ６０、Ｈ１０＜Ｈ２０＜Ｈ４０＜Ｈ６０）形成したが、その幅が一方から他方に向かうに従って順に狭くなるよう形成してもよいものである。
また、上記実施形態では、第一の保持機構及び第二の保持機構としてホックボタンを用いたが、爪留めの類を用いてもよいものである。
要は、本考案は上記実施形態に限定されることなく、その趣旨を逸脱しない限り種々の変形が可能なことは勿論である。
【００４８】
続いて本考案の他の実施形態について図６を参照して説明する。
【００４９】
本実施形態に係わるかつらスタンド２００は、１枚の樹脂製シート、例えば厚さ０．５ｍｍ〜０．５５ｍｍ程度の反発性を有し折り曲げると強度が増す性質を有するポリプロピレン（ＰＰ）製の透明のシートを折り曲げることにより組立てられるものである。即ち、図６に示すように、かつらスタンド２００を形成する透明のＰＰ製シートは平面形状が全体として略扇状をしており、折り曲げて組立てたときに六角錐台状になるように、プレスにより６本の折り目が折り目部２１１，２１２，２１３，２１４，２１５，２１６として形成されている。この折り目部２１１，２１２，２１３，２１４，２１５，２１６により各片、即ち７つの片部２２１，２２２，２２３，２２４，２２５，２２６，２２７が区画される。各片部２２１，２２２，２２３，２２４，２２５，２２６，２２７のその幅Ｗ２２１，Ｗ２２２，Ｗ２２３，Ｗ２２４，Ｗ２２５，Ｗ２２６，Ｗ２２７は、略等しくなるよう形成されている。
また、各片部２２１，２２２，２２３，２２４，２２５，２２６，２２７は、上辺部２２１ａ，２２２ａ，２２３ａ，２２４ａ，２２５ａ，２２６ａ，２２７ａ及び底辺部２２１ｂ，２２２ｂ，２２３ｂ，２２４ｂ，２２５ｂ，２２６ｂ，２２７ｂが所定の曲率にて緩いカーブを描くよう形成されている。
【００５０】
シートの両端部側２００ａ，２００ｂに位置する片部２２１，２２７には、組立て時に各片部２２１，２２２，２２３，２２４，２２５，２２６，２２７を所定角度に折り曲げて片部２２１と片部２２７が重なるようにして六角錐台状を保持し、また片部２２１から順に片部２２７に向かって各折り目部２１１，２１２，２１３，２１４，２１５，２１６に沿って折り曲げたときに、即ち各片を交互に重ねて蛇腹状（アコーディオン状）に折り畳んだときに、当該折り畳んだ状態を保持するための第一の保持機構部が設けられている。この第一の保持機構部は、片部２２７に形成された爪片部２３１，２３２と、片部２２１，２２２の折り目部２１１上に形成された爪片受け部２３３，２３４とからなるものである。
即ち、片部２２７の上辺部２２１ａ側及び底辺部２２１ｂ側には夫々上部及び下部に係止片部２３１ａ，２３１ｂ，２３２ａ，２３２ｂが形成された爪片状の爪片部２３１，２３２が一体的に形成され、当該爪片部２３１，２３２の対応する位置にて、片部２２１，２２２の上辺部２２１ａ，２２２ａ側及び底辺部２２１ｂ，２２２ｂ側には爪片受け部２３３，２３４が折り目部２１１上近傍に切込みを入れることにより夫々形成されている。而して各片部２２１，２２２，２２３，２２４，２２５，２２６，２２７を所定角度に折り曲げて片部２２７と片部２２１を重なるようにして六角錐台状に組立てた際、爪片部２３１，２３２を爪片受け部２３３，２３４に嵌め込むと爪片部２３１，２３２の係止片部２３１ａ，２３１ｂ，２３２ａ，２３２ｂが爪片受け部２３３，２３４の上端部及び下端部に夫々係止することにより、六角錐台状が保持されることになる。
【００５１】
上記構成につき、その作用を以下に述べる。
【００５２】
かつらスタンド２００の組立ては、先ず、片部２２１から順に片部２２７に向かって各折り目部２１１，２１２，２１３，２１４，２１５，２１６に沿って所定角度に折り曲げて、片部２２７が片部２２１の上側に位置するよう重ねて六角錐台状にする。この後、爪片部２３１を爪片受け部２３３に嵌め込み係止片部２３１ａ，２３１ｂを係止させるとともに、片部２３２を爪片受け部２３４に嵌め込み係止片部２３２ａ，２３２ｂを係止させることにより、六角錐台状が保持され、かつらスタンド２００の組立てが完成する。
この完成したかつらスタンド２００は、底辺部２２１ｂ，２２２ｂ，２２３ｂ，２２４ｂ，２２５ｂ，２２６ｂ，２２７ｂ側を下にし、上辺部２２１ａ，２２２ａ，２２３ａ，２２４ａ，２２５ａ，２２６ａ，２２７ａ側を上にして使用する。即ち、かつら（図示せず）を上辺部２２１ａ，２２２ａ，２２３ａ，２２４ａ，２２５ａ，２２６ａ，２２７ａ側に載置すればよい。ここで、かつらスタンド２００を構成する上辺部２２１ａ，２２２ａ，２２３ａ，２２４ａ，２２５ａ，２２６ａ，２２７ａは、所定の曲率にて緩いカーブを描くよう形成されているので、かつらを傷付けることなく且つかつらの形態を崩すことなく安定して載置できるものである。また、かつらとの間で空隙が形成され、通気性がよくなるものである。加えて、底辺部２２１ｂ，２２２ｂ，２２３ｂ，２２４ｂ，２２５ｂ，２２６ｂ，２２７ｂは、所定の曲率にて緩いカーブを描くよう形成されているので、通気性の更なる向上を図れるものである。これにより、かつらに付着した汗や湿気を自然乾燥させることができ、以って悪臭発生の防止を図れる。
【００５３】
組立てられたかつらスタンド２００を折り畳む場合は、嵌め込んで係止させた爪片部２３１を爪片受け部２３３から引抜き、同様に嵌め込んで係止させた爪片部２３２を爪片受け部２３４から引抜き、片部２２１から順に片部２２７に向かって各折り目部２１１，２１２，２１３，２１４，２１５，２１６に沿って蛇腹状（アコーディオン状）に折り曲げていく。そして、折り畳みが最終の片部２２７に到達したとき、爪片部２３１を爪片受け部２３３に強制的に嵌め込み係止片部２３１ａ，２３１ｂを係止させるとともに、片部２３２を爪片受け部２３４に強制的に嵌め込み係止片部２３２ａ，２３２ｂを係止させることにより、折り畳み状態を保持可能とする。
この後、必要に応じて片部を強制的に二つ折りにしてクリップ等で留めれば二つ折り状態が保持可能となる。
【００５４】
上記実施形態では、各片部の幅が略等間隔となるよう形成されているが、前述の一実施形態のようにその幅が一方から他方に向かうに従って順に広くまたは狭くなるよう形成してもよいものである。
本考案は上記実施形態に限定されることなく、その趣旨を逸脱しない限り種々の変形が可能なことは勿論である。
【産業上の利用可能性】
【００５５】
本考案のかつらスタンドは、従来に比べて著しくシンプルな構造でコンパクトなスタンドを実現することができ、しかも、組立て分解性及び携帯性に優れ且つ製造コストを低減することができるので、かつらや帽子などの変形し易い物だけでなく、様々な対象物のスタンドとして使用することができるため、ますます市場の拡大が期待できものである。
【符号の説明】
【００５６】
１００…かつらスタンド
１１１，１１２，１１３，１１４，１１５，１１６…折り目部
１２１，１２２，１２３，１２４，１２５，１２６，１２７…片部
１３０…第一の保持機構部
１３１，１３２，１３３，１３４…ホックボタン
１４１，１４２，１４３，１４４…丸穴部（第一の丸穴部）
１５１，１５２，１５３，１５４，１５５，１５６…折り曲げ機構部
１６０…第二の保持機構部
１６１，１６２…ホックボタン
１７１，１７２，１７３，１７４，１７５，１７６…丸穴部（第二の丸穴部）
２００…かつらスタンド
２１１，２１２，２１３，２１４，２１５，２１６…折り目部
２２１，２２２，２２３，２２４，２２５，２２６，２２７…片部
２３１，２３２…爪片部
２３１ａ，２３１ｂ，２３２ａ，２３２ｂ…係止片部
２３３，２３４…爪片受け部
【図１】
0003187224.tif 000003
【図２】
0003187224.tif 000004
【図３】
0003187224.tif 000005
【図４】
0003187224.tif 000006
【図５】
0003187224.tif 000007
【図６】
0003187224.tif 000008